(57)【要約】【目的】スライダーに対する取り付け・取り外しを簡単に行うことのできる引き手を提供する。【構成】フック（１０）と本体（２０）からなる引き手。フックは、先端に開閉用の爪（１１）を有し、後端に第１係合要素（１２）を有する。本体は、前後壁（２１、２２）及び左右壁（２３、２４）を有し、上部が前記フック回動用に開放されていて、前記前後壁の間に前記フックを収容する空間（２６）が形成されているとともに、この空間に前記フック回動用の第２係合要素（２８）が形成されている。前記フックの第１係合要素と前記本体の第２係合要素が係合して、両者は回動自在に接合されている。前記第１及び第２の係合要素は、例えば、本体の前後壁の一部を隆起させることにより形成した回動軸（２８）と、この回動軸を収容するフック後端部の穴（１２）の組合せである。【選択図】  図２
2004283191.tif 000002
【特許請求の範囲】
【請求項１】
先端に開閉用の爪（１１）を有し、後端に第１係合要素（１２）を有するフック（１０）と、
前後壁（２１、２２）及び左右壁（２３、２４）を有し、上部が前記フック回動用に開放されていて、前記前後壁の間に前記フックを収容する空間（２６）が形成されているとともに、この空間に前記フック回動用の第２係合要素（２８）が形成されている本体（２０）からなり、
前記フックの第１係合要素（１２）と前記本体の第２係合要素（２８）が係合して、両者は回動自在に接合されていることを特徴とするスライドファスナの引き手（１）。
【請求項２】
前記第１及び第２の係合要素が、
（ａ）本体の前後壁の一部を隆起させることにより形成した回動軸（２８）と、この回動軸を収容するフック後端部の穴（１２）の組合せ、
（ｂ）本体の前後壁の一部を凹ませることにより形成した窪み（２８ａ）と、この窪みにはまりこむフック後端部の突起（１２ａ）の組合せ、及び
（ｃ）本体の前後壁に開けた穴（２８ｂ）と、フック後端部の穴（１０ｃ）と、これらの穴を貫通するピン（３２）の組合せ
のうちのいずれか１つである請求項１記載の引き手。
【請求項３】
フックを閉鎖位置で仮固定する手段（１３、２９）が設けられている請求項１記載の引き手。
【請求項４】
前記仮固定手段が、
（ａ）フックの一部を隆起させた隆起部（１３）と、この隆起部にはまり合う本体壁の窪み（２９）の組合せ、及び
（ｂ）本体壁の一部を隆起させた隆起部（２９ａ）と、この隆起部にはまり合うフックの穴（１３ａ）の組合せ
のいずれかである請求項３記載の引き手。
【発明の詳細な説明】
【０００１】
【発明の属する技術分野】
本発明は、取り外し自在なスライドファスナ用の引き手に関する。この引き手は、例えば、痴呆患者用の接ぎパジャマのスライドファスナに使用することができるほか、購入時に付けられていた引き手に飽きが来たり、よりファッション性を持たせたいと考えたときなどに取替え用に使用することができる。
【０００２】
【従来の技術】
おむつをはずして糞便に触る等の不潔行為を防ぐために、痴呆患者自身がスライドファスナを開閉できないようにした考案が知られている。ファスナの引き手を取り外し自在なものとするのもその一つである（下記特許文献１，２参照）。この考案においては、介護者は引き手をつけた状態でファスナを開閉し、おむつの交換などを行うが、それが済めば引き手を外す。引き手がない状態では、痴呆患者だけでファスナを開閉することは困難である。
【０００３】
【特許文献１】実開平６−３９９１７号
【特許文献２】実用新案登録第３０７６１５１号
【０００４】
【発明が解決しようとする課題】
上記特許文献１の考案は、スライダーとの係合が確実ではあるが、脱着の操作がやや面倒である。上記特許文献２（本出願人自身の出願）の考案では、その点が改良されており脱着の操作が容易である。本考案は上記特許文献２の考案と同様に脱着の操作を容易にすることを目的としているが、特許文献２とは別の解決手段を採用したものである。すなわち、特許文献２では、フックを前後動により開閉するが、本願発明ではフックを回動により開閉する点が異なる。
【０００５】
【課題を解決するための手段】
本発明のスライドファスナの引き手は、先端に開閉用の爪を有し、後端に第１係合要素を有するフックと、前後壁及び左右壁を有し、上部が前記フック回動用に開放されていて、前記前後壁の間に前記フックを収容する空間が形成されているとともに、この空間に前記フック回動用の第２係合要素が形成されている本体からなり、前記フックの第１係合要素と前記本体の第２係合要素が係合して、両者は回動自在に接合されていることを特徴とする。
【０００６】
【発明の実施の態様】
前記第１及び第２の係合要素とは、例えば次のようなものである。
（１）本体の前後壁の一部を隆起させることにより形成した回動軸と、この回動軸を収容するフック後端部の穴の組合せ
（２）本体の前後壁の一部を凹ませることにより形成した窪みと、この窪みにはまりこむフック後端部の突起の組合せ
（３）本体の前後壁に開けた穴と、フック後端部の穴と、これらの穴を貫通するピンの組合せ。
【０００７】
フックが使用者の意思に反して勝手に自由回転してしまわないように、フックと本体にはフックを閉鎖位置で仮固定する手段が設けるのが好ましい。この仮固定手段は、例えばつぎのようなものである。
（１）フックの一部を隆起させた隆起部と、この隆起部にはまり合う内部壁の窪みの組合せ
（２）本体壁の一部を隆起させた隆起部と、この隆起部にはまり合うフックの穴の組合せ。
【０００８】
【実施例】
以下、添付の図面に基づき、本発明の実施例を説明する。
【０００９】
図１は、本発明の引手１をスライドファスナ２のスライダー３に取り付けている状態の斜視図である。図２は、この引手の（ａ）正面図、（ｂ）背面図、（ｃ）断面図である。
【００１０】
前記の通り、痴呆患者の接ぎパジャマに使用するときには、ファスナの開閉時にこの引手１を取り付けた状態で操作し、それが済めば取り外す。
【００１１】
この引手１は、図１から明らかなように、スライダー３に取り付けるための回動可能なフック１０と、フックの回動軸を有する本体２０からなる。
【００１２】
フック１０は、先端に開閉用の爪１１を有し、後端に回動軸を収容するための穴１２を有する平板である。ステンレス鋼などの金属で形成するのが好ましい。後記する目的のために、本体２０と重複する部分において小突起１３を設けている。これは、金属板の一方から力を加えて他方へ押出し成形すればよい。
【００１３】
本体２０は、前後壁２１、２２、左右壁２３、２４、底部壁２５を有し、上部がフック回動用に開放されている。前後壁の間にフック板を収容する空間２６が形成されている。本体の一部２７は、先端方向に向かって伸びており、この本体先端２７とフック先端の爪１１が接触したとき閉鎖状態となる。本体の中央部において、前後壁からそれぞれ一部隆起させることにより、回動軸２８が形成されている（図３（ａ）参照）。この回動軸２８に前記フックの穴１２が係合して、両者は回動自在に接合される。
【００１４】
フックの回動軸は、図３（ｂ）に示すように、本体の前後壁の一部を凹ませることにより形成した窪み２８ａと、この窪みにはまりこむフック後端部の突起１２ａの組合せとすることもできる。また、図３（ｃ）に示すように、本体の前後壁に開けた穴２８ｂと、フック後端部の穴１０ｃと、これらの穴を貫通するピン３２の組合せとすることもできる。
【００１５】
フック１０を回動させるのは、使用者の指の力である。使用者は片手に本体２０を持ち、もう片一方の手の指でフック２０を思い通りに回動させる。
【００１６】
フック１０の回動範囲は、図２（ｃ）に示すように、フック先端の爪１１が本体先端２７に接触する位置（実線）から、フック背部が右側壁２４に当接する位置（仮想線）までの間であり、この実施例では約５０度である。
【００１７】
フックが使用者の意思に反して勝手に自由回転してしまわないように、フックと本体には係合部が設けられている。係合部は、フック側の小突起１３及び本体側の窪み２９からなる。フック側の小突起１３は前記したとおりである。本体側の窪み２９は前記小突起１３を収容するものであり、収容した状態において安定する。この状態のとき、フック先端の爪１１が本体先端２７に接触する。
【００１８】
フック仮固定用の係合部は、図４（ｂ）に示すように、本体壁の一部を隆起させた隆起部２９ａと、この隆起部にはまり合うフックの穴１３ａの組合せとすることもできる。
【００１９】
本体の背面にある三日月状の穴３０は単なるデザイン上のものであり、本体後部にある穴３１は必要に応じて紐などを連結するためのものである。いずれも本発明にとって必須のものではない。
【００２０】
【発明の効果】
本発明によれば、フックを指で開閉するだけの作業で簡単に引き手をスライダーに取り付けることができる。前記特許文献２の技術がフックを前後動させるものであったのと比べると、技術の優劣という点ではあまり相違はないが、選択肢を増やすことによる技術の豊富化に貢献したということができる。
【図面の簡単な説明】
【図１】本発明の引手１をスライドファスナ２のスライダー３に取り付けている状態の斜視図である。
【図２】この引手の（ａ）正面図、（ｂ）背面図、（ｃ）断面図である。
【図３】フックの回動軸の３つの実施例を示す断面図である。
【図４】フック仮固定用の係合部の２つの実施例を示す断面図である。
【符号の説明】
１              引手
２              スライドファスナ
３              スライダー
１０          フック
１１          爪
１２          穴
１３          小突起
２０          フック
２０          本体
２１，２２                前後壁
２３，２４                左右壁
２５          底部壁
２６          空間
２８          回動軸
３０          穴
３１          穴
【図１】
2004283191.tif 000003
【図２】
2004283191.tif 000004
【図３】
2004283191.tif 000005
【図４】
2004283191.tif 000006